(57)【特許請求の範囲】
【請求項１】
高温再生機能部分、低温再生機能部分、凝縮機能部分、蒸発機能部分、吸収機能部分とこれらの機能部分に付属して配置した各機能部分とのうちの所定の複数の機能部分の動作状態を検出する複数の検出部分を配置するとともに、前記検出部分の検出出力にもとづいて所定の運転を制御するようにした吸収式冷凍装置であって、
所定の前記検出部分に異常が生じたときに、前記異常が生じた前記検出部分（以下、異常検出部分という）が検出している前記動作状態と対応して変化する動作状態を呈する前記機能部分に配置された前記検出部分によって得られる前記検出出力を代用して前記運転を制御（以下、代用検出運転制御という）する代用検出運転制御手段と、
前記代用検出運転制御を行っているときは前記高温再生機能部分の加熱量を所定量だけ低減する加熱量低減手段と
を具備することを特徴とする吸収式冷凍装置。
【請求項２】
高温再生機能部分、低温再生機能部分、凝縮機能部分、蒸発機能部分、吸収機能部分とこれらの機能部分に付属して配置した各機能部分とのうちの所定の複数の機能部分の動作状態を検出する複数の検出部分を配置するとともに、前記検出部分の検出出力にもとづいて被熱操作流体を冷却するための所定の運転を制御するようにした吸収式冷凍装置であって、
所定の前記検出部分に異常が生じたときに、前記異常が生じた前記検出部分（以下、異常検出部分という）が検出している前記動作状態と対応して変化する動作状態を呈する前記機能部分に配置された前記検出部分によって得られる前記検出出力を代用して前記運転を制御（以下、代用検出運転制御という）する代用検出運転制御手段と、
前記代用検出運転制御を行っているときは前記高温再生機能部分の加熱量を所定量だけ低減する加熱量低減手段と、
前記代用検出運転制御を行うときの前記異常検出部分が前記蒸発機能部分の冷媒温度を検出する検出部分になっているときは前記被熱操作流体のトリップ温度値を所定量だけ高温側に移行する高温側移行手段と
を具備することを特徴とする吸収式冷凍装置。
【発明の詳細な説明】
【０００１】
【発明の属する技術分野】
この発明は、複数の機能部分のうちの所定の機能部分のそれぞれの動作状態を検出するための複数の検出部分を配置するとともに、これらの検出部分の検出出力にもとづいて所定の運転を制御するようにした装置（この発明において、複数機能検出運転装置という）ならびにその利用装置、例えば、吸収式冷凍装置、圧縮式冷凍装置などに関するものである。
【０００２】
なお、この発明において、動作状態とは、機械的な運動動作の状態に限らず、物理的または化学的な変化を行う動作の状態などの全て動作状態を含むものである。
【０００３】
【従来の技術】
こうした複数機能検出運転装置５００として、図５のような構成（以下、第１従来技術という）が周知である。なお、以下の図において、同一符号で示す部分は、いずれかの図において説明する同一符号の部分と同一の機能をもつ部分である。
【０００４】
図５の複数機能検出運転装置５００は、複数の機能部分Ａ〜Ｇを設けるとともに、機能部分Ａ〜Ｇのうちの所定の機能部分、例えば、機能部分Ａ・Ｂ・Ｅ・Ｆ・Ｇと、機能部分Ｃに付属して配置した機能部分、例えば、回転軸とに、検出部分ａ〜ｆを配置しておき、これらの検出部分のうちの全ての検出部分、または、所定の検出部分の検出出力にもとづいて所定の運転を制御するようにした装置である。
【０００５】
そして、複数機能検出運転装置５００を、例えば、内燃機関の動力で圧縮冷却動作を行う圧縮冷凍装置とした場合には、例えば、機能部分Ａは燃料槽、機能部分Ｂは給気ポンプ、機能部分Ｃは内燃機能、機能部分Ｄは冷媒の圧縮部、機能部分Ｅは冷却負荷との熱交換器例、機能部分Ｆは冷媒の貯留槽、機能部分Ｄは発電機であり、検出部分ａは燃料供給弁の開度を検出する検出器、検出部分ｂは給気弁の開度を検出する検出器、検出部分ｃは発電機の電圧を検出する検出器、検出部分ｄは内燃機関の回転軸の回転数を検出する検出器、検出部分ｅは冷却負荷の冷却温度を検出する検出器、検出部分ｆは戻し入れた冷媒の温度を検出する検出器であり、これらの各検出部分ａ〜ｆの検出出力にもとづいて機能部分Ｅにおける冷却動作を行わせる運転と停止とを制御部７０によって制御するように構成したものである。
【０００６】
そして、複数機能検出運転装置行５００の利用装置、例えば、吸収式冷凍装置５００Ａの構成において、図６のような構成（以下、第２従来技術という）が本願出願人による出願にもとづく特開平６−８８６５４号公報などにより開示されている。
【０００７】
図６の吸収式冷凍装置５００Ａは、冷却運転と加温運転とに切り換えて運転することが可能な吸収式冷凍装置の構成例であり、冷却運転時には冷／温水３５ｂの部分が冷却された冷水になり、また、加温運転時には冷／温水３５ｂの部分が加温された温水になるものである。
【０００８】
図５において、高温再生器５の部分は高温再生機能部分を構成し、低温再生器１１の部分は低温再生機能部分を構成し、凝縮器１３の部分は凝縮機能部分を構成し、蒸発器１６の部分は蒸発機能部分を構成し、また、吸収器１の部分は吸収機能部分を構成しており、これらの機能部分に付属して配置した各機能部分として、例えば、各管路６Ａ・２０〜３７、高温熱交換器１７・低温熱交換器１８、ポンプＰ１〜Ｐ４などを配置してある。
【０００９】
そして、各機能部分の動作を、まず、吸収液の循環系の動作を、吸収器１の底部に溜っている低濃度の吸収液、すなわち、稀液２ａを起点として説明する。稀液２ａは、ポンプＰ１により、管路２０を経て、高温再生器５に入る。高温再生器５は、下方からバーナーなどの加熱器６で加熱しているので、稀液２ａに中に含まれている冷媒が蒸発して、高温になった中濃度の吸収液、すなわち、中間液２ｂと、冷媒蒸気７ａとに分離する。なお、管路６Ａは、加熱器６による加熱後の排気を排出する排気管である。
【００１０】
高温の中間液２ｂは、管路２２を経て、高温側の熱交換部分、すなわち、高温熱交換器１７に入る。高温熱交換器１７で、高温の中間液２ｂは、管路２０を通る稀液２ａに熱を与えて放熱し、温度が低下した後、管路２３を経て、低温再生器１１に入る。
【００１１】
低温再生器１１では、管路２１を経て放熱管１１Ａに送り込まれた冷媒蒸気７ａが放熱管１１Ａを加熱しているので、この加熱により中間液２ｂの中に含まれている冷媒が蒸発して、高温になった高濃度の吸収液、すなわち、濃液２ｃと、冷媒蒸気７ｂとに分離する。
【００１２】
高温の濃液２ｃは、管路２４を経て、低温側の熱交換部分、すなわち、低温熱交換器１８に入る。低温熱交換器１８で、高温の濃液２ｃは、管路２０を通る稀液２ａに熱を与えて放熱し、中温になった後、管路２５を経て、吸収器１内の散布器１Ａに入り、散布器１Ａの多数の穴から散布する。
【００１３】
散布した濃液２ｃは、吸収器１内の冷却管１Ｂを流通する冷却用水３１ａによって冷却する。濃液２ｃは、冷却管１Ｂの外側を流下する際に、隣接する蒸発器１６から入ってくる冷媒蒸気７ｃを吸収して稀薄化し、低温の稀液２ａに戻り、吸収液の一巡が終えるという吸収液循環を繰り返すものである。
【００１４】
次に、冷媒の循環系を、吸収器１に入った冷媒蒸気７Ｃを起点にして説明する。冷媒蒸気７ｃは、上記の吸収液の循環系で説明したように、吸収器１内の散布器１Ａから分散した濃液２ｃに吸収されて、稀液２ａの中に入り、高温再生器５で冷媒蒸気７ａになる。
【００１５】
冷媒蒸気７ａは、管路２１を経て、低温再生器１１の放熱管１１Ａに入り、中間液２ｂに熱を与えて放熱し、凝縮して冷媒液１４ａになった後、管路２６を経て、凝縮器１３の底部に入る。
【００１６】
凝縮器１３は、隣接する低温再生器１１との間の多数の通路１１Ｂを経て入ってくる冷媒蒸気７ｂを、凝縮器１３内の冷却管１３Ａを通る冷却用水３１ａで冷却することにり、冷媒蒸気７ｂを凝縮して低温の冷媒液１４ａにする。低温の冷媒液１４ａは、管路２７を経て、蒸発器１６に入り、蒸発器１６の低部に溜まって冷媒液１４ｂになる。
【００１７】
なお、冷却用水３１ａは冷却管１３Ａでの冷却を終えた後に、冷却用水戻水３１ｂになり、そのまま排水されるか、または、外気などとの熱交換器（図示せず）により冷却した後に、再び、冷却用水３１ａとして供給するようにしている。
【００１８】
ポンプＰ２は、管路２９から入れ込まれる低温の冷媒液１４ｂを、管路２８を経て、散布器１６Ａに送り、散布器１６Ａの多数の穴から散布することを繰り返す。散布した冷媒液１４ｂは、蒸発器１６内の熱交換管１６Ｂを通る被熱操作流体、すなわち、冷／温水戻水３５ａを冷却する。この冷却の際に、冷媒液１４ｂは、冷／温水戻水３５ａから熱を吸収して蒸発して冷媒蒸気７ｃになった後、隣接する吸収器１との間の多数の通路１６Ｃを経て吸収器１に戻り、冷媒の一巡が終えるという冷媒循環を繰り返すものである。
【００１９】
以上のように、高温再生器５と低温再生器１１との二重の再生動作によって、吸収液と冷媒、つまり、熱操作流体を循環しながら蒸発器１６内の熱交換管１６Ｂ、すなわち、熱交換用配管によって、管路３５から与えられる被熱操作流体、すなわち、冷／温水戻水３５ａを冷却し、管路３７から冷水３５ｂを室内冷房機器などの冷却対象機器（図示せず）に冷却用被熱操作流体として与える運転を、二重効用の冷却運転と言い、主として、冷房用に用いているため、冷房運転とも言っている。
【００２０】
これに対して、高温再生器５で蒸発した冷媒蒸気７ａと高温熱交換器１７に入れるべき高温の中間液２ｂとを、側路して吸収器１に与える管路４１・管路４２に設けた開閉弁Ｖ１・開閉弁Ｖ２を開いて、直接、吸収器１に戻し入れるとともに、散布器１６Ａより散布すべき冷媒液１４ｂを、蒸発器１６の底部と吸収器１の底部との間を側路する管路４３に設けた開閉弁Ｖ２を開いて冷媒液１４ｂを吸収液２ａに混入するようにし、低温再生器１１を用いずに、高温再生器５のみの運転によって、吸収液循環と冷媒循環とを行いながら蒸発器１６内の熱交換管１６Ｂ、すなわち、熱交換用配管によって、管路３５から与えられる被熱操作流体、すなわち、冷／温水戻水３５ａを加温し、管路３７から温水３５ｂを室内暖房機器などの加温対象機器（図示せず）に加温用被熱操作流体として与える運転を、加温運転と言い、主として、暖房用に用いているため、暖房運転とも言っている。また、この冷却運転時には、吸収器１と凝縮器１３との冷却は不要なので、ポンプＰ３を停止して、管路３１からの冷却用水３１ａの送水を停止している。
【００２１】
なお、管路３８は、オーバーフロー管を形成する部分であり、例えば、吸収液の稀釈運転時や、加温運転時、つまり、暖房運転時などに、低温再生器１１の底部に余分に貯留される吸収液を管路３８を介して吸収器１に戻しいれる側路であって、冷却運転時、つまり、冷房運転時には、Ｕ字状の垂れ下がった部分３９に吸収液を溜ておくことにより、冷媒蒸気７ｂが吸収器１に入らないように遮断しているものである。
【００２２】
また、管路２７も、管路３８と同様のオーバーフロー管に形成してあり、管路２７のＵ字状の垂れ下がった部分３０に凝縮器１３の底部からの冷媒液１４ａを溜ておくことにより、上記の各運転時などに、凝縮器１３の内部の冷媒蒸気７ｂが蒸発器１６に入らないように遮断しているものである。
【００２３】
上記の第２従来技術による吸収式冷凍装置５００Ａの構成から加温運転に関連する部分を除去して、冷却運転のみを行うようにした図７の吸収式冷凍装置５００Ａの構成（以下、第３従来技術という）が本願出願人による出願にもとづく特開平９−１４９９７５号公報などにより開示されている。そして、各部の動作は、上記の図６の第２従来技術による吸収式冷凍装置５００Ａにおいて説明した冷却運転の部分の動作と同様なので、ここでは説明を省略する。
【００２４】
そして、上記の第２従来技術・第３従来技術による吸収式冷凍装置５００Ａにおける各機能部分のうちの所定の複数の機能部分には、その機能部分の動作状態を検出するための複数の検出部分を配置するとともに、これらの検出部分の検出出力にもとづいて所定の運転、例えば、上記の冷却運転に関連する運転・停止、上記の加温運転に関連する運転・停止を制御部７０によって制御するよう構成してある。
【００２５】
なお、冷却運転における冷却負荷の増減と、加温運転における加温負荷の増減とは、冷／温水戻水３５ａ・冷／温水３５ｂ、すなわち、被熱操作流体を循環させるためのポンプＰ４を駆動する電動機の回転速度の増減、または、運転開始と停止とによって変化させられている。
【００２６】
上記の複数の検出部分、すなわち、図５の構成における検出部分ａ〜ｄに相当する具体的な検出部分として、例えば、高温再生器５の中間液２ｂの加熱部分の温度を検出する温度検出器Ｓ１、管路６Ａ、すなわち、排気管の中の排気温度を検出するための温度検出器Ｓ２、管路２４の濃液２ｃの温度を検出する温度検出器Ｓ３、管路３１の冷却用水３１ａの温度を検出する温度検出器Ｓ４、管路３３の冷却用水３１ａの温度、すなわち、吸収器１内を冷却した後の冷却用水３１ａの温度を検出する温度検出器Ｓ５、管路３４の冷却用水戻水３１ｂの温度を検出する温度検出器Ｓ６、管路２０の稀液２ａの温度を検出する温度検出器Ｓ７、管路２７の冷媒液１４ａの温度を検出する温度検出器Ｓ９、管路２９の冷媒液１４ｂの温度を検出する温度検出器Ｓ９、管路３５の冷／温水戻水３５ａの温度を検出する温度検出器Ｓ１０、管路３７の冷／温水３５ｂの温度を検出する温度検出器Ｓ１１などを配置している。また、入力量のうちの加熱量、すなわち、加熱器６に供給する燃料の流量を調整する加熱調整弁Ｖ６の開度を検出する検出器Ｓ１２を配置している。
【００２７】
制御部７０は、例えば、図８のように、マイクロコンピュータ型の制御処理機能、つまり、ＣＰＵ７０Ａを主体にした制御部、例えば、市販のＣＰＵボード（ＣＰＵ／Ｂ）を主体にして構成した制御部であって、設定操作部７６からの各操作信号と各温度検出器Ｓ１〜Ｓ１２などからの各検出信号とを、入出力ポート７１から取り込んで、作業用メモリ７３に一時的に記憶し、作業メモリ用７３に記憶したデータと、処理用メモリ７２に記憶した制御処理フローのプログラムと、データ用メモリ７４に記憶した所定温度などの基準値データと、計時回路７５で計時した経過時間の時間値データなどとによる演算処理にもとづいて、所要の制御処理を行って得られる制御信号を、入出力ポート７１を介して、各ポンプＰ１〜Ｐ４、各開閉弁Ｖ１〜Ｖ３、加熱器６の点火を行う点火器６６や、加熱量を調節する加熱調整弁Ｖ６などの所要部分に与えて制御を行うとともに、作業用メモリ７３に記憶している記憶データの内容から所要のものを表示部７７に与えて表示するように構成したものである。なお、処理用メモリ７２とデータ用メモリ７４とは、１つのＰＲＯＭ、ＥＰＲＯＭ、ＥＥＰＲＯＭ、または、フラッシュメモリなどに記憶してもよい。
【００２８】
【発明が解決しようとする課題】
上記の第１従来技術〜第３従来技術の構成では、上記の複数の検出部分のうちの１つの検出部分ａ〜ｄや温度検出器Ｓ１〜Ｓ１２のうちの１つの検出器が故障などよって検出に異常を生じた場合には、複数機能検出運転装置５００ならびにその具体装置、例えば、吸収式冷凍装置５００Ａでは、安全上の都合から、直ちに、運転を停止するとともに、その旨を警報するようにしている。
【００２９】
こうした場合には、保守サービスを行う専門技術者が修理を完了するまで、再運転が行えず、また、異常を生じた検出部分の交換品の在庫が無い場合には、その検出部分をメーカから取り寄せるまで、再運転が行えないので、装置の使用者側が大変な迷惑を被るという不都合がある。
このため、こうした不都合のない複数機能検出運転装置５００ならびにその利用装置、例えば、吸収式冷凍装置５００Ａの提供が望まれているという課題がある。
【００３０】
【課題を解決するための手段】
この発明は上記のような
高温再生機能部分、低温再生機能部分、凝縮機能部分、蒸発機能部分、吸収機能部分とこれらの機能部分に付属して配置した各機能部分とのうちの所定の複数の機能部分の動作状態を検出する複数の検出部分を配置するとともに、上記の検出部分の検出出力にもとづいて所定の運転を制御するようにした吸収式冷凍装置において、
【００３１】
所定の上記の検出部分に異常が生じたときに、上記の異常が生じた上記の検出部分、すなわち、異常検出部分が検出している上記の動作状態と対応して変化する動作状態を呈する上記の機能部分に配置された上記の検出部分によって得られる上記の検出出力を代用して上記の運転を制御、すなわち、代用検出運転制御する代用検出運転制御手段と、
【００３２】
上記の代用検出運転制御を行っているときは上記の高温再生機能部分の加熱量を所定量だけ低減する加熱量低減手段と
を設ける第１の構成と、
【００３３】
高温再生機能部分、低温再生機能部分、凝縮機能部分、蒸発機能部分、吸収機能部分とこれらの機能部分に付属して配置した各機能部分とのうちの所定の複数の機能部分の動作状態を検出する複数の検出部分を配置するとともに、上記の検出部分の検出出力にもとづいて被熱操作流体を冷却するための所定の運転を制御するようにした吸収式冷凍装置において、
【００３４】
所定の上記の検出部分に異常が生じたときに、上記の異常が生じた上記の検出部分（以下、異常検出部分という）が検出している上記の動作状態と対応して変化する動作状態を呈する上記の機能部分に配置された上記の検出部分によって得られる上記の検出出力を代用して上記の運転を制御、すなわち、代用検出運転制御する代用検出運転制御手段と、
【００３５】
上記の代用検出運転制御を行っているときは上記の高温再生機能部分の加熱量を所定量だけ低減する加熱量低減手段と、
上記の代用検出運転制御を行うときの上記の異常検出部分が上記の蒸発機能部分の冷媒温度を検出する検出部分になっているときは上記の被熱操作流体のトリップ温度値を所定量だけ高温側に移行する高温側移行手段と
を設ける第２構成とにより上記の課題を解決したものである。
【００３６】
【発明の実施の形態】
この発明の実施の形態として、上記の第１従来技術〜第３従来技術の構成にこの発明を適用した実施例を説明する。
【００３７】
【実施例】
以下、図１〜図４により参考例と実施例とを説明する。図１〜図４において、図５〜図８の符号と同一符号で示す部分は、図５〜図８で説明した同一符号の部分と同一の機能をもつ部分であり、また、図１〜図４に同一符号で示す部分は、図１〜図４のいずれかにおいて説明する同一符号の部分と同一の機能をもつ部分である。
【００３８】
〔第１参考例〕
以下、図１・図３・図４・図９により第１参考例を説明する。この第１参考例は上記の第１従来技術の構成を改良した参考例である。そして、この第１参考例の構成が上記の第１従来技術の構成と異なる箇所は、第１には、所定の検出部分に異常が生じた場合には、図１の〔代用検出構成〕のように、異常を生じた検出部分、すなわち、異常検出部分Ｘに対応する代用検出部分Ｙの検出出力を代用して装置の運転を制御（以下、代用検出運転制御という）するように構成した箇所である。
【００３９】
また、第２には、代用検出運転を行っている場合には、表示部７７に、代用運転を行っている旨の警報、例えば、点滅文字などによる光学的な警報とブザーなどによる音響的な警報とを行うように構成するとともに、対応する代用検出部分Ｙが無い場合には、運転を停止するとともに、同様の警報動作により、故障している旨の警報を行うように構成した箇所である。
【００４０】
そして、概括敵には、
複数の機能部分、例えば、機能部分Ａ〜Ｇのうちの所定の機能部分の動作状態を検出するための複数の検出部分、例えば、検出部分ａ〜ｆを配置するとともに、上記の検出部分ａ〜ｆの検出出力にもとづいて所定の運転を制御、例えば、圧縮冷却動作の運転を制御部７０によって制御するようにした複数機能検出運転装置５００において、
【００４１】
所定の上記の検出部分、例えば、図１の〔代用検出構成〕の異常検出部分Ｘの１つに、異常が生じたときに、上記の異常が生じた上記の検出部分、すなわち、異常検出部分、例えば、検出部分ｂが検出している上記の動作状態と対応して変化する動作状態を呈する上記の機能部分、例えば、機能部分Ａ・Ｃに配置された上記の検出部分、例えば、検出部分ａ・ｄによって得られる上記の検出出力を代用して上記の運転する制御、すなわち、代用検出運転制御を、例えば、制御部７０に行わせる代用検出運転手段
を設けた第１参考例を構成しているものである。
【００４２】
つまり、具体的には、図１において、制御部７０は、図８のような制御部の構成にしてあり、各検出部分ａ〜ｆの検出信号による検出値のデータについて、所定の時間内における時々刻々の変化（以下、時系列変化という）、例えば、過去２０秒間における１秒ごとの変化を、作業用メモリ７３に記憶している。
【００４３】
この時系列変化は、例えば、図３のように、給気弁の検出部分ｂの検出値ｂ１のデータが〔検出動作特性（イ）〕のように変化している場合に、検出値ｂ１のデータが、ある時点で、全く得られなくなったとき、または、その検出値の時系列変化が、他の検出部分での検出値、例えば、検出部分ａの検出値ａ１と検出部分ｃの検出値ｃ１との時系列変化に対して、当然に行われる時系列変化よりも予め定めた最大変化値β、例えば、±３０％を超えているときは、その検出部分ｂを故障として判別するようにしてあり、最大変化値βは、装置を予め実験的に運転して求めた値をデータ用メモリ７４に記憶しておくことによって上記の判別が行えるようにしている。そして、他の検出部分ａ・ｃ〜ｆについても同様の判別を行えるようにしている。
【００４４】
そして、図３の〔検出動作特性（ロ）〕のように、検出部分ａ、例えば、燃料供給弁の開度の検出器の検出値ａ１と、検出部分ｂ、例えば、給気弁の開度の検出器の検出値ｂ１とが変化し、これらの変化に対して、検出部分ｄ、例えば、内燃機関の回転軸の回転数の検出器の検出値ｄ１が同図のように変化したとすると、検出部ａ・ｄで検出している機能部分Ａ・Ｃは、検出部分ｂが検出している機能部分Ｂの動作状態と対応して変化する動作状態を呈している機能部分になっているということができる。つまり、この場合は、検出値ｂ１の変化は、検出値ａ１と検出値ｄ１との差の値に対応して変化している。
【００４５】
また、機能部分Ｃ・機能部分Ｄは、図１の〔検出動作特性（ハ）〕における検出部分ｄの検出値ｄ１、例えば、内燃機関の回転軸の回転数の検出値と、検出部分Ｇの検出値ｃ１、例えば、発電機の発電電圧の検出値とのように、そのまま対応して変化する動作状態を呈している。
【００４６】
図示していないが、機能部分Ｄ・機能部分Ｅ・機能部分Ｆは、検出部分ｄの検出値ｄ１、例えば、内燃機関の回転軸の回転数の検出値と、検出部分ｆの検出値ｆ１、例えば、冷媒貯留部分に戻し入れた冷媒の温度の検出値との差の値に対して、検出部分ｅの検出値ｅ１、例えば、熱交換器での冷却負荷の冷却温度の検出値が対応するような動作状態を呈している。
【００４７】
ここで、「対応して変化する動作状態を呈している」とは、必ずしも、正負が同一方向の変化、すなわち、一方が正方向に変化したときは他方も正方向に変化し、一方が負方向に変化したときは他方も負方向に変化するという変化の対応関係に限るものではなく、正負が逆方向に変化、すなわち、一方が正方向に変化したときは他方が負方向に変化し、一方が負方向に変化したときは他方が正方向に変化するという変化の対応関係にあっても、その変化によって異常検出部分の動作状態を判別し得るものをも含むものであることは言うまでもない。
【００４８】
したがって、予め装置を実験運転して、これら検出部分ａ・ｂ・ｃの間の各検出値における時系列的変化の対応状態についてデータを求めておき、このデータをデータ用メモリ７４に記憶しておくことによって、検出部分ａが異常が生じた場合には、図１の〔代用検出構成〕のＮＯ．１のように、例えば、検出出部分ａ・ｄによって得られる上記の検出出力を用いて、例えば、検出部分ａの異常前の時系列変化と、検出部分ａ・ｄの時系列変化とから、例えば、比例演算などによって、検出部分ａの現在を推測するなどにより代用検出運転の制御を行わせることができるわけである。
【００４９】
同様にして、図１の〔代用検出構成〕のＮＯ．２・ＮＯ．３についても上記の実験運転で対応状態を求めることができるので、図１の〔代用検出構成〕のデータを対応テーブルにしてデータ用メモリ７４に記憶するとともに、例えば、図４の制御処理フローのようなプログラムを制御用メモリ７２に予め記憶しておくことにより上記の代用検出運転を制御できる。
【００５０】
〔制御処理フローの説明〕
以下、図４の制御処理フローを説明する。図４の制御処理フローは、装置に定常の動作を行わせるためのメイン制御処理ルーチンのサブルーチンとして構成してあるもので、メイン制御処理ルーチンから、例えば、１０秒ごとに図４の制御処理フローに移行してくるように構成してある。
【００５１】
◆ステップＳＰ１では、制御処理に関連するデータを取り込んで、次のステップＳＰ２に移行する。
◆ステップＳＰ２では、前回以前の制御処理において、後記のステップＳＰ５による「代用検出運転」が行われている場合があるので、その「代用検出運転」を解除した旨の「代用警報解除」データがあるか否かを判別する。「代用警報解除」のデータがあるときはステップＳＰ７に移行し、そうでないときは次のステップＳＰ３に移行する。
【００５２】
◆ステップＳＰ３では、各検出部分ａ〜ｆのうちに検出異常を生じている検出部分、すなわち、異常検出部分Ｘがあるか否かを判別して、異常検出部分Ｘがあるときは次のステップＳＰ４に移行し、そうでないときはメイン制御処理ルーチンの所定のステップ箇所に移行する。なお、このステップによる前回までの判別において、既に異常検出部分Ｘがあり、その異常検出部分Ｘに対して代用検出運転を行っているときは、残りの各検出部分について判別する。
【００５３】
◆ステップＳＰ４では、異常検出部分Ｘについて、データ用メモリに記憶している図１の〔代用検出構成〕のデータによって該当する代用検出部分Ｙがあるか否かを判別し、該当する代用検出部分Ｙがあるときは次のステップＳＰ５に移行し、そうでないときはステップＳＰ８に移行する。
【００５４】
◆ステップＳＰ５では、該当する代用検出部分Ｙ、例えば、異常検出部分Ｘが検出部分ｂのときは代用検出部分Ｙを検出部分ａ・ｄの検出データによって代用検出運転の制御を行うようにメイン制御処理ルーチンでの該当する処理用データを入れ換える処理を行った後に、次のステップＳＰ６に移行する。
【００５５】
◆ステップＳＰ６では、表示部７７に上記の光学的な警報、例えば、「異常／検出部分ｂ・代用検出ａ・ｄ」を文字の点滅と、音響的な警報とを行わせた後に、メイン制御処理ルーチンの所定のステップに移行する。ここで、前回までに、既に、別の異常検出部分Ｘに対して「代用検出運転」を行っているときは、その代用検出運転に関する警報と、今回の警報とを並べた文字表示によって警報する。なお、光学的な警報はその後に後記のステップＳＰ７による「代用警報解除」が行われるまで継続して行い、音響的な警報はごく短時間、例えば、２秒程度だけ行って終了させる。
【００５６】
◆ステップＳＰ７では、異常検出部分Ｘ、例えば、検出部分ｂの点検・修理・交換などによる保守を終えているので、表示部７７に表示している「代用運転警報」を解除した後に、メイン制御処理ルーチンの所定のステップに戻る。
【００５７】
◆ステップＳＰ８では、ステップＳＰ６と同様の処理により、光学的な警報、例えば、「故障／停止」を文字の点滅と、音響的な警報とによる「故障警報」を行わせた状態で、装置の運転を停止する制御処理を行って、次のステップＳＰ９に移行する。
【００５８】
◆ステップＳＰ９では、装置の使用担当者が、設定操作部７６の所定のキーを操作して「故障警報」を解除する旨のデータを入力したか否かを判別し、「故障警報」を解除する旨の入力データがあるときは、次のステップＳＰ１０に移行し、そうでないときは、所定の繰返間隔、例えば、１秒ごとの間隔で、このステップＳＰ９を繰り返して行う。
【００５９】
◆ステップＳＰ１０では、「故障警報」を解除した後に、メイン制御処理ルーチンの所定のステップに戻る。
【００６０】
したがって、この第１参考例によれば、検出部分ａ〜ｆに異常が生じても、図１の〔代用検出構成〕によって代用検出運転制御を行えるので、一応、ある程度の期間は、継続して装置を使用し得るように、改善されたことになる。
【００６１】
〔第１実施例〕
以下、図２〜図４により第１実施例を説明する。この第１実施例の構成が上記の第１参考例の構成と異なる箇所は、第１には、複数機能検出運転装置５００を、その利用装置、例えば、上記の第２従来技術・第３従来技術による吸収式冷凍装置５００Ａに変更した箇所であるが、ここでは、上記の第２従来技術と同様の図２の〔全体ブロック構成〕のような吸収式冷凍装置５００Ａに変更した構成によって説明する。
【００６２】
第２には、吸収式冷凍装置５００Ａにおける各検出部分Ｓ１〜Ｓ１２のうちの所定の検出部分に異常が生じた場合には、図２の〔代用検出構成〕のように、異常を生じた検出部分、すなわち、異常検出部分Ｘに対応する代用検出部分Ｙの検出出力を代用させて装置の運転を制御するように構成した箇所である。
【００６３】
第２には、上記の代替させて運転の制御を行っているときは上記の高温再生機能部分の加熱量、例えば、高温再生器５の加熱器６による加熱量を所定量だけ、例えば、加熱調整弁Ｖ６の全調整量の１／２０程度だけ低減するように構成した箇所である。なお、加熱調整弁Ｖ６自体では、そうした制御ができない場合には、検出器Ｓ１２の検出出力で判別して制御する。
【００６４】
第３には、上記の蒸発機能部分の冷媒温度を検出する検出部分、例えば、蒸発器１６の冷媒液１４ｂの温度を検出するための管路２９の温度検出器Ｓ９が上記の異常検出部分になっているときは上記の蒸発機能部分で冷却している被熱操作流体、例えば、蒸発器１６の熱交換管１６Ｂを通って冷却される冷／温水戻水３５ａのトリップ温度値を所定量だけ高温側に移行するように構成した箇所である。
【００６５】
ここで、トリップ温度値とは、冷／温水戻水３５ａの過冷却による熱交換管１６Ｂの破壊を未然に防止するために、吸収式冷凍装置の運転を停止させる冷／温水戻水３５ａの温度値、例えば、２．５℃をいうものである。そして、管路２９の温度検出器Ｓ９が異常検出部分Ｘになっていて対応する代用検出部分Ｙの検出出力を代用により装置の運転を制御しているときは、上記の破壊の防止を安全側に移行するために、トリップ温度値、例えば、２．５℃を所定量、例えば、１℃だけ高温側に移行して、３．５℃にするように対処しているものである。
【００６６】
そして、概括的には、第１には、
複数の機能部分、すなわち、高温再生機能部分、例えば、高温再生器５の部分、低温再生機能部分、例えば、低温再生器１１の部分、凝縮機能部分、例えば、凝縮器２３の部分、蒸発機能部分、例えば、蒸発器１６の部分および吸収機能部分、例えば、吸収器１の部分ならびにこれらに付属して配置した各関連機能部分、例えば、各管路６Ａ・２０〜２７のうちの所定の機能部分の動作状態を検出するための複数の検出部分、例えば、高温再生器５の温度検出器Ｓ１、管路６Ａの温度検出器Ｓ２、管路２４の温度検出器Ｓ３、管路３１の温度検出器Ｓ４、管路３３の温度検出器Ｓ５、管路３４の温度検出器Ｓ６、管路２０の温度検出器Ｓ７、管路２７の温度検出器Ｓ９、管路２９の温度検出器Ｓ９、管路３５の温度検出器Ｓ１０、管路３７の温度検出器Ｓ１１、加熱調整弁Ｖ６の開度を検出する検出器Ｓ１２を配置するとともに、上記の検出部分の検出出力にもとづいて所定の運転を制御するようにした複数機能検出運転装置５００、例えば、吸収式冷凍装置５００Ａにおいて、
【００６７】
所定の上記の検出部分、例えば、図２の〔代用検出構成〕の異常検出部分ＸのうちのＮＯ．３のものに、異常が生じたときに、上記の異常が生じた上記の検出部分、すなわち、異常検出部分が検出している上記の動作状態に対応した変化をもつ動作状態を呈する上記の機能部分に配置された上記の検出部分、例えば、図２の〔代用検出構成〕の代替検出部分ＹのうちのＮＯ．３のものによって得られる上記の検出出力を代用して上記の運転の制御、すなわち、代用検出運転制御を制御部７０に行わせる代替検出運転手段
を設けた第１参考例の構成を構成しているものである。
【００６８】
また、第２には、その利用装置として、
高温再生機能部分、低温再生機能部分、凝縮機能部分、蒸発機能部分および吸収機能部分、例えば、高温再生器５・低温再生器１１・凝縮器１３・蒸発器１６および吸収器１の部分ならびにこれらに付属して配置した各関連機能部分、例えば、各管路６Ａ・２０〜２７のうちの所定の複数の機能部分の動作状態を検出する複数の検出部分、例えば、高温再生器５の温度検出器Ｓ１、管路６Ａの温度検出器Ｓ２、管路２４の温度検出器Ｓ３、管路３１の温度検出器Ｓ４、管路３３の温度検出器Ｓ５、管路３４の温度検出器Ｓ６、管路２０の温度検出器Ｓ７、管路２７の温度検出器Ｓ９、管路２９の温度検出器Ｓ９、管路３５の温度検出器Ｓ１０、管路３７の温度検出器Ｓ１１、加熱調整弁Ｖ６の開度を検出する検出器Ｓ１２を配置するとともに、上記の検出部分の検出出力にもとづいて所定の運転、例えば、被熱操作流体を冷却するための所定の運転を制御するようにした吸収式冷凍装置５００Ａにおいて、
【００６９】
所定の上記の検出部分、例えば、図２の〔代用検出構成〕の異常検出部分ＸのうちのＮＯ．３のものに、異常が生じたときに、上記の異常が生じた上記の検出部分、すなわち、異常検出部分が検出している上記の動作状態に対応した変化をもつ動作状態を呈する上記の機能部分に配置された上記の検出部分、例えば、図２の〔代替検出構成〕の代替検出部分ＹのうちのＮＯ．３のものによって得られる上記の検出出力を代用して上記の運転の制御を行う代替検出運転手段
を設けた第２参考例の構成を構成しているものである。
【００７０】
さらに、第３には、上記の第２参考例の構成に付加して、
上記の代替させて運転の制御を行っているときは上記の高温再生機能部分の加熱量、例えば、高温再生器５の加熱器６による加熱量を所定量だけ、例えば、加熱調整弁Ｖ６の全調整量の１／２０程度だけ低減する加熱量低減手段
を設けた上記の第１の構成を構成しているものである。
【００７１】
また、第４には、上記の第１の構成に付加して、
上記の代用検出運転制御を行うときの上記の異常検出部分が上記の蒸発機能部分の冷媒温度を検出する検出部分、例えば、蒸発器１６の冷媒液１４ｂの温度を検出するための管路２９の温度検出器Ｓ９が上記の異常検出部分になっていて上記の冷却を行っているときは上記の被熱操作流体の冷却温度範囲、例えば、蒸発器１６の熱交換管１６Ｂを通って冷却される冷／温水戻水３５ａのトリップ温度値を所定量だけ高温側に移行、例えば、トリップ温度値２．５℃を高温側に１℃移行して３．５℃に移行する高温側移行手段
を設けた上記の第２の構成を構成しているものである。
【００７２】
つまり、具体的には、図２の〔代用検出構成〕において、例えば、Ｎ０．１のように、異常検出部分Ｘが冷却用水３１ａの入口側、例えば、管路３１の部分での温度を検出するための検出部分、例えば、温度検出器Ｓ４になっているときは、代用検出部分Ｙとして、冷却用水３１ａの流路の中間部分、例えば、管路３３の部分での冷却用水３１ａの温度を検出している検出部分、例えば、温度検出器Ｓ５と、冷却用水３１ａの出口側、例えば、管路３４の部分での温度、すなわち、冷却用水戻水３１ｂの温度の検出部分、例えば、温度検出器Ｓ６とを用いるようにしている。
【００７３】
管路３１を機能部分とする温度検出器Ｓ４の検出値ｓ４と、管路３３を機能部分とする温度検出器Ｓ５の検出値ｓ５と、管路３４を機能部分とする温度検出器Ｓ６の検出値ｓ６とは、図３の〔検出動作特性（ニ）〕のように、対応した変化をもつ動作状態を呈する関係、つまり、検出値ｓ５と検出値ｓ６の差の値が検出値ｓ４に対応して変化する動作状態を呈する関係になっている。
【００７４】
したがって、図４の制御処理フローと同様の制御処理フローのプログラムを処理用メモリ７２に記憶させておくとともに、上記の検出値ｓ４・ｓ５・ｓ６の対応関係をデータ用メモリ７４に記憶しておくことにより、異常前の検出値ｓ４の時系列変化と、検出値ｓ５・検出値ｓ６の時系列変化とから、例えば、比例演算などによって、現在の検出値ｓ４の値を推測できるので、制御部７０に、検出器Ｓ４の代わりに検出器Ｓ５・Ｓ６を用いて所要の運転を制御させること、すなわち、代用検出運転制御させることができるわけである。
【００７５】
また、検出器Ｓ４の異常については、上記の第１実施例で述べた方法と同様に、装置を予め実験して得られたデータをデータ用メモリ７４に記憶させておくことによって、異常前の検出値ｓ４の時系列変化と、検出値ｓ５・検出値ｓ６の時系列変化とから、異常を判別することができる。
【００７６】
図２の〔代用検出構成〕のＮ０．２における異常検出部分Ｘの温度検出器Ｓ６と、代用検出部分Ｙの温度検出器Ｓ４・Ｓ５の場合も、図３の〔検出動作特性（ニ）〕における検出値ｓ４・ｓ５・と６の関係が、上記の図２の〔代用検出構成〕のＮ０．１と同様の関係にあるので、その対応関係にもとづいて代用検出運転制御させることができるわけである。
【００７７】
図２の〔代用検出構成〕のＮ０．３における異常検出部分Ｘの温度検出器Ｓ３と、代用検出部分Ｙの温度検出器Ｓ１の場合は、低温再生器１１から出る濃液２ｃの温度、例えば、管路２４の部分で濃液２ｃの温度の温度検出器Ｓ３の検出値ｓ３と、高温再生器５の中の稀液２ａの加熱温度の温度検出器Ｓ１の検出値ｓ１とが、図３の〔検出動作特性（ホ）〕のように、対応した変化をもつ動作状態を呈する関係、つまり、検出値ｓ３が検出値ｓ１と同方向に対応して変化する動作状態を呈する関係になっているので、その対応関係にもとづいて、代用検出運転制御させることができるわけである。
【００７８】
図２の〔代用検出構成〕のＮ０．４における異常検出部分Ｘの温度検出器Ｓ８と、代用検出部分Ｙの温度検出器Ｓ６の場合は、凝縮器１３から出る冷媒液１４ａの温度、例えば、管路２７の部分での冷媒液１４ａの温度の温度検出器Ｓ８の検出値ｓ８と、冷却用水戻水３１ｂの温度、例えば、管路３４の部分での冷却用水戻水３１ｂの温度の温度検出器Ｓ６の検出値ｓ６とが、図３の〔検出動作特性（ヘ）〕のように、対応した変化をもつ動作状態を呈する関係、つまり、検出値ｓ８が検出値ｓ６と同方向に対応して変化する動作状態を呈する関係になっているので、その対応関係にもとづいて、代用検出運転制御させることができるわけである。
【００７９】
図２の〔代用検出構成〕のＮ０．５における異常検出部分Ｘの温度検出器Ｓ１０と、代用検出部分Ｙの温度検出器Ｓ４・Ｓ５・Ｓ１１の場合は、蒸発器１６の熱交換管１６Ｂに入れ込む冷／温水戻水３５ａの温度、例えば、管路３５の部分での冷／温水戻水３５ａの温度の温度検出器Ｓ１０の検出値ｓ１０に対して、冷却用水３１ａの温度、例えば、管路３１の部分での冷却用水３１ａの温度の温度検出器Ｓ４の検出値ｓ４と、冷却用水３１ａの流路の中間部分、例えば、管路３３の部分での冷却用水３１ａの温度の温度検出器Ｓ５の検出値ｓ５と、熱交換管１６Ｂで冷却された後の冷／温水３５ｂの温度、例えば、管路３７の部分での冷／温水３５ｂの温度の温度検出器Ｓ１１の検出値ｓ１１との関係が、図３の〔検出動作特性（ト）〕のように、対応した変化をもつ動作状態を呈する関係、つまり、検出値ｓ４と検出値ｓ５の差の値が検出値ｓ１０と検出値ｓ１１の差の値に対応して変化する動作状態を呈する関係になっているので、その対応関係にもとづいて、代用検出運転制御させることができるわけである。
【００８０】
図２の〔代用検出構成〕のＮ０．６における異常検出部分Ｘの温度検出器Ｓ７と、代用検出部分Ｙの温度検出器Ｓ４・Ｓ５の場合は、吸収器１から出る稀液２ａの温度、例えば、管路２０の部分での稀液２ａの温度の温度検出器Ｓ７の検出値ｓ７に対して、冷却用水３１ａの温度、例えば、管路３１の部分での冷却用水３１ａの温度の温度検出器Ｓ４の検出値ｓ４と、冷却用水３１ａの流路の中間部分、例えば、管路３３の部分での冷却用水３１ａの温度の温度検出器Ｓ５の検出値ｓ５との関係が、図３の〔検出動作特性（チ）〕のように、対応した変化をもつ動作状態を呈する関係、つまり、検出値ｓ４と検出値ｓ５の差の値が検出値ｓ７に対応して変化する動作状態を呈する関係になっているので、その対応関係にもとづいて、代用検出運転制御させることができるわけである。
【００８１】
図２の〔代用検出構成〕のＮ０．７における異常検出部分Ｘの温度検出器Ｓ５と、代用検出部分Ｙの温度検出器Ｓ４・Ｓ６の場合は、冷却用水３１ａの流路の中間部分、例えば、管路３３の部分での冷却用水３１ａの温度の温度検出器Ｓ５の検出値ｓ５に対して、冷却用水３１ａの温度、例えば、管路３１の部分での冷却用水３１ａの温度の温度検出器Ｓ４の検出値ｓ４と、冷却用水３１ａの出口側、すなわち、冷却用水戻水３１ｂの温度、例えば、管路３４の部分での冷却用水戻水３１ｂの温度の検出器Ｓ６の検出値ｓ６との関係が、図３の〔検出動作特性（リ）〕のように、対応した変化をもつ動作状態を呈する関係、つまり、検出値ｓ４と検出値ｓ６の差の値が検出値ｓ５に対応して変化する動作状態を呈する関係になっているので、その対応関係にもとづいて、代用検出運転制御させることができるわけである。
【００８２】
図２の〔代用検出構成〕のＮ０．８における異常検出部分Ｘの温度検出器Ｓ９と、代用検出部分Ｙの温度検出器Ｓ１１の場合は、蒸発器１６から出る冷媒液１４ｂの温度、例えば、管路２９の部分での冷媒液１４ｂの温度の温度検出器Ｓ９の検出値ｓ９と、蒸発器１６の熱交換管１６Ｂから出る冷／温水３５ｂの温度、例えば、管路３７の部分での冷／温水３５ｂの温度の温度検出器Ｓ１１の検出値ｓ１１との関係が、図３の〔検出動作特性（ヌ）〕のように、対応した変化をもつ動作状態を呈する関係、つまり、検出値ｓ９と検出値ｓ１１が同方向に対応して変化する動作状態を呈する関係になっているので、その対応関係にもとづいて、代用検出運転制御させることができるわけである。
【００８３】
したがって、図２の〔代用検出構成〕におけるＮＯ．２〜８の場合も、上記の図２の〔代用検出構成〕におけるＮＯ．１の場合と同様に、予め装置を実験運転して得られる各検出値にもとづくデータをデータ用メモリ７４に記憶するとともに、図４の制御処理フローと同様の制御処理フローのプログラムを処理用メモリ７２に記憶させて制御することにより、目的とする代用検出運転制御を行うことができるものである。
【００８４】
また、各検出器Ｓ６・Ｓ３・Ｓ８・Ｓ１０・Ｓ７・Ｓ５・Ｓ９の異常については、上記の第１実施例で述べた方法と同様に、装置を予め実験して得られたデータをデータ用メモリ７４に記憶させておくことによって、異常前の検出値の時系列変化から、異常を判別することができる。
【００８５】
なお、上記のように、図２の〔代用検出構成〕におけるＮＯ．１〜８による代用検出制御を行っている場合には、いずれの場合も、正確な制御を行えない可能性があり、冷却負荷とする被熱操作流体、例えば、冷／温水３５ｂの過冷却して、管路３５・熱交換管１６Ｂ・管路３７の流路の部分を凍結させてまう事故を招くことが想定されるので、その対策として、つまり、図２の〔代用検出構成〕の付随制御処理事項のように、上記の代用検出運転制御を行っているときは、上記の高温再生機能部分の加熱量、例えば、高温再生器５の加熱器６による加熱量を所定量だけ、例えば、加熱調整弁Ｖ６の全調整量の１／２０程度だけ低減する加熱量低減をするように制御部７０に制御を行わせている。
【００８６】
さらに、これらの代用検出運転制御を行っている場合のうち、図２の〔代用検出構成〕におけるＮＯ．８のように、蒸発器１６の冷媒液１４ｂの温度を検出する検出部分、すなわち、温度検出器Ｓ９が異常検出部分Ｘになっているときは、被熱操作流体、例えば、冷／温水３５ｂのトリップ温度値、例えば、２．５℃を高温側に、所定の移行量、例えば、１℃だけ移行して３．５℃に移行するようにした高温側移行を行わせるように構成してある。なお、この移行量は、予め装置を実験運転することにより確認して得られる値をデータ用メモリ７４に記憶させておくようにする。
【００８７】
なお、上記の制御を行うには、図２の〔代用検出構成〕の各事項をテーブル状にしてデータ用メモリ７４に記憶するとともに、処理用メモリ７２に記憶した図４の制御処理フローと同様の制御処理フローのプログラムによって制御処理を行うように構成し、そのステップＳＰ５における代用検出運転を行う箇所において、図１の〔代用検出構成〕の各事項にもとづく制御処理を行うように構成すればよいことになる。
【００８８】
したがって、この第２実施例の構成によれば、殆どの検出部分が、例えば、図２の〔代用検出構成〕によって代用検出運転を行えるので、一応、ある程度の期間、例えば、３箇月程度の期間は、継続して装置を使用し得るように、改善されたことになる。
【００８９】
〔変形実施〕
この発明は次のように変形して実施することを含むものである。
【００９０】
（１）時計回路７５に、初回の代用検出運転制御を開始したときからの経過時間を計時させるとともに、データ用メモリ７４に代用検出運転制御を継続を限度づけるための所定時間、例えば、２４時間のデータを記憶させておくことにより、所定時間の経過を時計回路７５の計時時間で判別して、所定期間を経過したときに、「故障警報」を行うとともに、装置の運転を停止するように構成する。
【００９１】
（２）アンモニア冷媒を用いた吸収式冷凍装置に適用して構成する。
（３）吸収式冷凍装置５００Ａの冷却運転時において、温度検出器Ｓ９、すなわち、冷媒液１４ｂの温度を検出している温度検出部分が異常検出部分Ｘになっていて代用検出部分Ｙ、例えば、温度検出器Ｓ１１で代用運転制御する場合に、冷／温水３５ｂ、すなわち、冷水３５ｂの冷却温度の設定値、例えば、温度検出器Ｓ１１の検出値ｓ１１による冷却温度の設定値を、所定量、例えば、１℃だけ高温側に移行、すなわち、安全側に移行させて運転する。
【００９２】
【発明の効果】
この発明によれば、以上のように、異常検出部分に代えて、その異常検出部分が検出している動作状態に対応した変化をもつ動作状態を呈する機能部分に配置された検出部分の検出出力を代用して所定の運転の制御を行わせるように構成しているので、殆どの検出部分に対して代用検出運転を行えるので、一応、ある程度の期間は、継続して装置を使用し得るように改善した複数機能検出運転装置ならびにその類似装置、例えば、吸収式冷凍装置を提供し得るなどの特長がある。
【図面の簡単な説明】
図面中、図１〜図４は、この発明の参考例と実施例とを、また、図５〜図８は従来技術を示し、各図の内容は次のとおりである。
【図１】  全体ブロック構成図
【図２】  全体ブロック構成図
【図３】  要部動作特性図
【図４】  要部制御処理フロー図
【図５】  全体ブロック構成図
【図６】  全体ブロック構成図
【図７】  全体ブロック構成図
【図８】  要部ブロック構成図
【符号の説明】
１  吸収器
１Ａ  散布器
１Ｂ  冷却管
２ａ  稀液
２ｂ  中間液
２ｃ  濃液
５  高温再生器
６  加熱器
７ａ  冷媒蒸気
７ｂ  冷媒蒸気
７ｃ  冷媒蒸気
１１  低温再生器
１１Ａ  放熱管
１３  凝縮器
１３Ａ  冷却管
１４ａ  冷媒液
１４ｂ  冷媒液
１６  蒸発器
１６Ａ  散布器
１６Ｂ  熱交換管
１７  高温熱交換器
１８  低温熱交換器
２０〜３７  管路
３１ａ  冷却用水
３１ｂ  冷却用水戻水
３５ａ  冷／温水戻水
３５ｂ  冷／温水
６６  点火器
７０  制御部
７０Ａ  ＣＰＵ
７１  入出力ポート
７２  処理用メモリ
７３  作業用メモリ
７４  データ用メモリ
７５  時計回路
７６  設定操作部
７７  表示部
５００  複数機能検出運転装置
５００Ａ  吸収式冷凍装置
Ａ〜Ｇ  機能部分
ａ〜ｆ  検出部分
Ｐ１〜Ｐ４  ポンプ
Ｓ１〜Ｓ１１  温度検出器
Ｖ１〜Ｖ３  開閉弁
Ｖ６  加熱調整弁
【図１】
0004240646.tif 000002
【図２】
0004240646.tif 000003
【図３】
0004240646.tif 000004
【図４】
0004240646.tif 000005
【図５】
0004240646.tif 000006
【図６】
0004240646.tif 000007
【図７】
0004240646.tif 000008
【図８】
0004240646.tif 000009